(57)【要約】      （修正有）【課題】水平置き、縦置きに加えて寝ながらも目線に合わせて利用できる斜め置きが可能で且つ小物入れを有するスマートフォン用スタンドを提供する。【解決手段】スマホ受け５０３の横端５０４がスマートフォンの回転軸の中心点となり、セパレート７０１，７０２，７０３が回転を阻止する梃子の原理を利用したスマートフォンの斜め置きが可能で、セパレートを複数設けることにより複数通りの斜め置きが可能となる構造を有する。また、ボード、則板、底板で構成される小物入れを有する。【選択図】図８
0003208950.tif 000002
【実用新案登録請求の範囲】
【請求項１】
ボードと小物入れ左側板と小物入れ右側板と小物入れ底板から構成される小物入れを有するスマートフォン用スタンド。
【請求項２】
スマートフォンの縦置きがスタンドからはみ出る大きさを小さくするため左支柱と右支柱とセパレート取付板からなる凹部を設けスマートフォンの縦の一部が収納できる構造を有すスマートフォン用スタンド。
【請求項３】
スマホ受けの横端がスマートフォンの回転軸の中心点となり、セパレートが回転を阻止する所謂梃子の原理を利用してマートフォンの斜め置きを可能にし、セパレートを複数設けることにより図６、図７に示すとおりスマートフォンを複数通りの斜め置きが可能となる構造を有するスマートフォン用スタンド。
【考案の詳細な説明】
【技術分野】
【０００１】スマートフォン用スタンド
【背景技術】
【０００２】スマートフォンをスタンドに置く場合、横置き、縦置きが一般的であるが病床者などに対する寝ころんで視線に合わせることが可能な斜め置き可能なスタンドは机に固定しアームの先に付ける等嵩が大きく自由度が少ない。
【先行技術文献】
【非特許文献】
【０００３】
【非特許文献１】ＤｅＮＡショピング  カタログ  ロットナンバー２１０８４５９５５  商品名：フレキシブルアームスタンド，会社名：株式会社  福森
【考案の概要】
【考案が解決しようとする課題】
【０００４】  スマートフォンのスタンドとして可搬型としスマートフォンの置き方を、水平、縦置き方に加え、斜め置きを可能にしてベッド生活者に対しても寝ながら目線に合わせて利用できるようにすると同時に小物入れとしても活用できるものとする。
【課題を解決するための手段】
【０００５】  スマートフォンの回転を支える支点となるスマホ受け横端（５０２，５０４）と回転を阻止するセパレート（７０１，７０２，７０３，７０４）を設けスマートフォンの斜め置きを可能にし、左右に設けたスマホ受け（５０１，５０３）の上にスマートフォンの置きを可能にし、左右支柱（４０１．４０２）とセパレート取付板（６）で構成される凹部にスマートフォンを縦に収められるようにする。
【考案の効果】
【０００６】水平、縦置き方に加え斜め置きが可能になったことで、ベッド生活者にも出来るようになったと同時に健常者に対しても新しい利用の仕方を提案できるようになった。
【図面の簡単な説明】
【０００７】
【図１】正面の写真を示す
【図２】背面の写真を示す
【図３】右側面の写真を示す
【図４】上から見た平面の写真を示す  Ａ，Ａ’は切断面を示す
【図５】Ａ，Ａ’の断面図を示す
【図６】スマートフォンを右斜め置きにした３つの状態を示す
【図７】スマートフォンを左斜め置きにした３つの状態を示す
【図８】フロントパネルの一部を切欠きスマートフォンを左斜め置きにしたときの状態を示す参考図。
【図９】フロントパネルの一部を切欠きスマートフォンを水平置きにしたときの状態を示す参考図。
【図１０】フロントパネルの一部を切欠きスマートフォンを縦置きにしたときの状態を示す参考図。
【考案を実施するための形態】
【０００８】図４に示す通り、ボード（１）を中心に後面には３０１，３０２，３０３，３０４から成る小物入れを前面にはフロントパネル（２）、４０１，４０２から成る左右の支柱、その上部に５０１，５０３から成るスマホ受板、セパレート取付板（６）に取付けられた７０１，７０２，７０３，７０４のセパレート等で構成されるスマートフォンの水平置き、縦置き、斜め置きが可能な形態。
【実施例】
【０００９】図１及び図４に示す通り
【産業上の利用可能性】
【０００１０】潤沢に供給可能なＭＤＦや硬質なプラスチックの板で構成されるため安価で提供可能。病床者にも利用可能なため需要拡大につながる。
【符号の説明】
【０００１１】  １        ボード
２        フロントパネル
３０１    小物入れ左側板
３０２    小物入れ右側板
３０３    小物入れ後則板
３０４    小物入れ底面板
４０１    支柱右
４０２    支柱左
５０１    スマホ受右
５０２    スマホ受右端回転支持点
５０３    スマホ受左
５０４    スマホ受左端回転支持点
６        セパレート取付板
７０１    セパレート１
７０２    セパレート２
７０３    セパレート３
７０４    セパレート４
８０１    スマートフォンのイメージ１
８０２    スマートフォンのイメージ２
【図１】
0003208950.tif 000003
【図２】
0003208950.tif 000004
【図３】
0003208950.tif 000005
0003208950.tif 000006
【図６】
0003208950.tif 000007
【図７】
0003208950.tif 000008
【図８】
0003208950.tif 000009
【図９】
0003208950.tif 000010
【図１０】
0003208950.tif 000011
【手続補正書】
【提出日】平成28年11月30日(2016.11.30)
【手続補正１】
【補正対象書類名】実用新案登録請求の範囲
【補正対象項目名】請求項３
【補正方法】変更
【補正の内容】
【請求項３】
前記セパレート取付板には、複数のセパレート（７０１、７０２、７０３、７０４）が設けられており、前記凹部内に前記スマートフォンを斜め置きに収納した状態では、前記左支柱又は右支柱の横端が、前記スマートフォンの受け部として機能する、ことを特徴とする、請求項２に記載のスマートフォン用スタンド。
【手続補正２】
【補正対象書類名】図面
【補正対象項目名】全図
【補正方法】変更
【補正の内容】
【図１】
0003208950.tif 000012
【図２】
0003208950.tif 000013
【図３】
0003208950.tif 000014
【図４】
0003208950.tif 000015
【図５】
0003208950.tif 000016
【図６】
0003208950.tif 000017
【図７】
0003208950.tif 000018
【図８】
0003208950.tif 000019
【図９】
0003208950.tif 000020
【図１０】
0003208950.tif 000021
【手続補正３】
【補正対象書類名】明細書
【補正対象項目名】０００７
【補正方法】変更
【補正の内容】
【０００７】
【図１】正面の写真を示す
【図２】背面の写真を示す
【図３】右側面の写真を示す
【図４】上から見た平面の写真を示す  Ａ，Ａ’は切断面を示す
【図５】Ａ，Ａ’の断面図を示す
【図６】スマートフォンを右斜め置きにした３つの状態を示す
【図７】スマートフォンを左斜め置きにした３つの状態を示す
【図８】フロントパネルの一部を切欠きスマートフォンを左斜め置きにしたときの状態を示す参考図。
【図９】フロントパネルの一部を切欠きスマートフォンを水平置きにしたときの状態を示す参考図。
【図１０】フロントパネルの一部を切欠きスマートフォンを縦置きにしたときの状態を示す参考図。